(57)【特許請求の範囲】
【請求項１】
箱状に成形されたボックス本体と、このボックス本体の上部であって該ボックス本体の正面側に形成された開口と、このボックス本体の上部であって該ボックス本体の背面側に形成された平面板部と、
上記ボックス本体の正面側及び背面側にスライド可能に配設され上記開口を開閉する開閉蓋と、
上記ボックス本体の上記開閉蓋の閉塞方向に形成された鍵部と、
この鍵部に形成された係合部と、
上記開閉蓋の正面閉塞側に形成され上記鍵部に形成された係合部と係合する係合片と、
上記開閉蓋の開放方向の端部に形成されたロックプレート係止部と、
上記開閉蓋の裏面であって基端側は上記係合片に固定され、先端は上記ロックプレート係止部に係止されてなるロックプレートと、を有し、
上記ロックプレートの先端側には、上記係合片に上記係合部が係合している状態において、該係合片に外力が加わることによりボックス本体の正面側に該係合片が移動させられ、上記開閉蓋のロックプレート係止部とロックプレートとの係止状態が解除されてロックプレートが脱落することにより、上記平面板部の正面側端部と対向する対向部が形成されてなることを特徴とするセーフティーボックス。
【請求項２】
箱状に成形されたボックス本体と、このボックス本体の上部であって該ボックス本体の正面側に形成された開口と、このボックス本体の上部であって該ボックス本体の背面側に形成された平面板部と、
上記ボックス本体の正面側及び背面側にスライド可能に配設されこの開口を開閉する開閉蓋と、
上記ボックス本体の上記開閉蓋の閉塞方向に形成された鍵部と、
この鍵部に形成された係合部と、
上記開閉蓋の正面閉塞側に形成され上記鍵部に形成された係合部と係合する係合片と、
上記開閉蓋の開放方向の端部に形成されたロックプレート係止部と、
上記開閉蓋の裏面であって基端側は上記係合片に固定され、先端は上記ロックプレート係止部に係止されてなるロックプレートと、を有し、
上記平面板部には貫通孔が形成されてなるとともに、
上記ロックプレートの先端側の下面には、上記係合片に上記係合部が係合している状態において、該係合片に外力が加わることによりボックス本体の正面側に該係合片が移動させられ、上記開閉蓋のロックプレート係止部とロックプレートとの係止状態が解除されてロックプレートが脱落することにより、上記平面板部に形成された貫通孔に挿通する突部が形成されてなることを特徴とするセーフティーボックス。
【発明の詳細な説明】
【０００１】
【産業上の利用分野】
本発明は、鍵により施錠するセーフティーボックスに関するものである。
【０００２】
【従来の技術】
従来より、病院では、入院患者が所有する金銭等の貴重品を保管するために、病室に備付けの引き出しの中に、セーフティボックスを設置しているところが多い。このセーフティボックスは、従来より様々なタイプのものが提案され使用されているが、貴重品を収めるものであることから、鍵部が設けられ、これにより施錠，解錠して使用するものとされている。これらの中でも、特に、設定カードとカードキーを使用して施錠，解錠するカード式錠を内蔵したセーフティボックスによれば、使用者が変更された場合でも、以前の使用者により解錠される危険性が極めて少なく安全性が高いことから、現在主流のセーフティボックスとされつつある。このカード式錠を用いたセーフティボックス１０１は、例えば、図１５及び図１６に示すように、板金が箱状に折曲加工されてなるものであって、正面側上部に開口を有してなる長方形状のボックス本体１０２と、このボックス本体１０２上を該ボックス本体１０２の正面側及び背面側にスライド可能に配設されこの開口を開閉する開閉蓋１０３とを有している。この開閉蓋１０３の先端側上面には、こじ開け防止用の保護板１０３ａが固定されている。そして、上記ボックス本体１０２の先端側には、カード式錠収納部１０４が形成され、このカード式錠収納部１０４内には、カード式錠１０５が内蔵されている。このカード式錠１０５内には、多数のタンブラピンが配設され、該カード式錠１０５の側面には図１７に示す設定カード１０６が挿入される設定カード用挿入孔１０５ａが形成されている。この設定カード１０６は、後述するカードキー１０７と共に合成樹脂により一体成形されてなるものであり、連結部１０７ａ，１０７ａを介して該カードキー１０７と連結されている。そして、この設定カード１０６及びカードキー１０７には、何れも上記カード式錠１０５に内蔵されたタンブラピンが挿通されるピン対応孔１０６ａ，１０７ｂが形成されている。すなわち、この設定カード１０６を、上述のカードキー１０７と切り離して、上述の設定カード用挿通孔１０５ａ内に差し込むことにより、カード式錠１０６に内蔵された図示しないタンブラピンの解除位置が設定される。
【０００３】
また、上記カード式錠の上面には、上記カードキー１０７が挿入される図示しないキー挿入孔が形成され、上記カード式錠収納部１０４の上面には、このキー挿入孔に対応したカードキー挿入孔１０４ａが形成されている。そして、このカードキー挿入孔１０４ａ及び上記キー挿入孔内に上記カードキー１０７を挿入させることにより、タンブラピンが移動し、これによりカード式錠１０５が移動して、カード式錠１０５のこの移動に伴い図１６に示すロック片１０８が移動することにより、上記開閉蓋１０３の先端に形成された図示しない係合孔と該ロック片１０８との係合が解除される。また、この従来のセーフティボックス１０１では、上記カード式錠収納部１０４の側面に蝶番を介して開閉扉１０９が設けられており、この開閉扉１０９の開放により上記設定カード用挿通孔１０５ａが露出されるよう構成されている。そして、このカード式錠収納部１０４内であって、カード式錠の側方には、設定カード１０６の取り出し方向と直交する方向に水平ロッド１１０が設けられている。この水平ロッド１１０は、上記開閉蓋１０３の閉塞により該水平ロッド１１０の先端側に設けられている筒状部１１０ａ内に先端側が挿入されるように構成されている。また、上記水平ロッド１１０の下方には、上記開閉扉１０９の閉塞状態をロックするためのロックピン１１１が設けられている一方、上記開閉扉１０９の裏面には、このロックピン１１１の先端側が挿通される挿通部１０９ａが形成されている。なお、上記水平ロッド１１０は、図１５に示すように、筒状に成形されたロッド支持部１１０ｂ内に挿通されており、このロッド支持部１１０ｂ内には、図１６に示すように、該水平ロッド１１０を常時開閉蓋１０３の開放方向に付勢する第１のコイルスプリング１１２が配設されている。また、上記ロックピン１１１は、筒状に成形されたピン支持部１１１ｂ内に挿通されており、このピン支持部１１１ｂ内には、該ロックピン１１１を常時開閉蓋１０３の閉塞方向に付勢する第２のコイルスプリング１１３が配設されている。
【０００４】
また、上記ボックス本体１０２を構成する左右の側板（符号は省略する。）の上端側中途部には、それぞれガイド溝部１０２ｂが形成されてなる一方、上記開閉蓋１０３を構成する左右の側板（符号は省略する。）の内側には、図１６に示すように、上記ガイド溝部１０２ｂ上を転動する二つの車輪１１４が配設されている。また、この開閉蓋１０３の正面には、前述したように、上記ロック片１０８と係合する図示しない係合孔が形成されている。なお、前記カード式錠収納部１０４の上面板１０４ｂの下方及び左右の側板１０４ｃの背面の内側は、上記開閉蓋１０３の先端側が挿入されるよう後端側に延長されている。このことから、この開閉蓋１０３を閉塞して施錠したとき、上記カード式錠収納部１０４の上面板１０４ｂの後端は、上記開閉蓋１０３の先端側上面と保護板１０３ａを構成する水平板部との間に位置することとなる。すなわち、上記保護板１０３ａを構成する水平板部の先端は、カード式収納部１０４を構成する上面板１０４ｂの上方に位置するとともに、開閉蓋１０３の先端は、該上面板１０４ｂの下方に位置することとなるので、バール等で該開閉蓋１０３をこじ開けることは難しいものとなる。
【０００５】
したがって、上記従来のセーフティボックス１０１では、設定カード１０６とカードキー１０７とを分離させ、該設定カード１０６を上記設定カード用挿通孔１０５ａ内に差し込み、そして、ボックス本体１０２の内側から指で上記ロックピン１１１をこのセーフティボックス１０１の背面方向に移動させた上で上記開閉扉１０９を閉塞すると、上記ロックピン１１１は第２のコイルスプリング１１３の弾性力により、該セーフティボックス１０１の正面方向に移動し、先端側が前記挿通部１０９ａ内に挿通され、開放することが不能となる。そして、この状態で上記開閉蓋１０３によりボックス本体１０２に形成された開口１０２ａを閉塞して、前述したように該開閉蓋１０３の正面に形成された図示しない係合孔と上記ロック片１０８とを係合させることにより、開閉蓋１０３の施錠が完了する。なお、この開閉蓋１０３の施錠により、前記水平ロッド１１０の先端側は、筒状部１１０ａ内に挿通された状態となる。また、使用者がこのセーフティボックス１０１を解錠したい場合には、前述した通り、設定カード１０６と切り離されたカードキー１０７を上記カードキー挿入孔１０４ａ及び図示しないキー挿入孔内に挿入させることにより、タンブラピンが移動させられ、これによりカード式錠１０５が移動して、カード式錠１０５のこの移動に伴い図１５に示すロック片１０８が移動することにより、上記開閉蓋１０３に形成された図示しない係合孔と該ロック片１０８との係合が解除される。
【０００６】
以上の構成により、従来のセーフティボックス１０１では、開閉蓋１０３は、上記保護板１０４により、開閉蓋１０３をバール等によりこじ開けることが難しい構造とされている。また、開閉扉１０９は、上記ロックピン１１１により容易に開放することはできず、また万一この開閉扉１０９が開放された場合であっても、上記水平ロッド１１０により、設定カード１０６を抜き取ることができない。したがって、開閉蓋１０３をこじ開けて、ボックス本体１０２内の貴重品等を取り出すことは難しく、また、この設定カード１０６の抜取りにより、新たな設定カードが挿入され、この設定カードに対応したカードキーにより解錠されるということも防止できる。
【０００７】
【発明が解決しようとする課題】
しかしながら、上述した従来のセーフティボックス１０１では、上記保護板１０３ａは溶接などで固定したとはいえ、バール等により開閉蓋１０３から取り除くことは不可能なわけではない。このように保護板１０３ａを取り除かれた場合、次いで開閉蓋１０３とカード式錠収納部１０４の平面板部１０４ｂとの隙間からバール等をねじ込み、開閉蓋１０３の先端部を開放方向にねじ曲げ、これによって開閉蓋１０３の正面に形成された図示しない係合孔とロック片１０８との係合をはずすことにより、開閉蓋１０３がこじ開けられる場合があり、より一層の安全性が要求されている。
【０００８】
そこで、本発明は、このような従来のセーフティボックスが有する課題を解決するために提案されたものであって、より一層安全性が向上した新たなセーフティボックスを提供することを目的とするものである。
【０００９】
【課題を解決するための手段】
本発明は、上記目的を達成するために提案されたものであって、第１の発明（請求項１記載の発明）は、箱状に成形されたボックス本体と、このボックス本体の上部であって該ボックス本体の正面側に形成された開口と、このボックス本体の上部であって該ボックス本体の背面側に形成された平面板部と、上記ボックス本体の正面側及び背面側にスライド可能に配設され上記開口を開閉する開閉蓋と、上記ボックス本体の上記開閉蓋の閉塞方向に形成された鍵部と、この鍵部に形成された係合部と、上記開閉蓋の正面閉塞側に形成され上記鍵部に形成された係合部と係合する係合片と、上記開閉蓋の開放方向の端部に形成されたロックプレート係止部と、上記開閉蓋の裏面であって基端側は上記係合片に固定され、先端は上記ロックプレート係止部に係止されてなるロックプレートと、を有し、上記ロックプレートの先端側には、上記係合片に上記係合部が係合している状態において、該係合片に外力が加わることによりボックス本体の正面側に該係合片が移動させられ、上記開閉蓋のロックプレート係止部とロックプレートとの係止状態が解除されてロックプレートが脱落することにより、上記平面板部の正面側端部と対向する対向部が形成されてなることを特徴とするものである。
【００１０】
また、第２の発明（請求項２記載の発明）は、箱状に成形されたボックス本体と、このボックス本体の上部であって該ボックス本体の正面側に形成された開口と、このボックス本体の上部であって該ボックス本体の背面側に形成された平面板部と、上記ボックス本体の正面側及び背面側にスライド可能に配設されこの開口を開閉する開閉蓋と、上記ボックス本体の上記開閉蓋の閉塞方向に形成された鍵部と、この鍵部に形成された係合部と、上記開閉蓋の正面閉塞側に形成され上記鍵部に形成された係合部と係合する係合片と、上記開閉蓋の開放方向の端部に形成されたロックプレート係止部と、上記開閉蓋の裏面であって基端側は上記係合片に固定され、先端は上記ロックプレート係止部に係止されてなるロックプレートと、を有し、上記平面板部には貫通孔が形成されてなるとともに、上記ロックプレートの先端側の下面には、上記係合片に上記係合部が係合している状態において、該係合片に外力が加わることによりボックス本体の正面側に該係合片が移動させられ、上記開閉蓋のロックプレート係止部とロックプレートとの係止状態が解除されてロックプレートが脱落することにより、上記平面板部に形成された貫通孔に挿通する突部が形成されてなることを特徴とするものである。
【００１１】
【発明の実施の形態】
以下、本発明に係るセーフティボックスの一実施の形態について、図面を参照しながら詳細に説明する。
【００１２】
このセーフティーボックス１は、図１及び図２に示すように、板金が箱状に折曲加工されてなるものであって、正面側上部に開口を有してなる長方形状のボックス本体２と、このボックス本体２上を該ボックス本体２の正面側及び背面側にスライド可能に配設されこの開口を開閉する開閉蓋３とを有している。上記ボックス本体２は、長方形状に成形された底板部２ａと、この底板部２ａの左右両側から起立してなる左右の側板部２ｂ，２ｃと、上記底板部２ａの後端から起立してなる背面板部２ｄと、この背面板部２ｄの上端から折曲され左右端は上記側板部２ｂ，２ｃに固定されてなるとともに上記底板部２ａの長さの約半分の長さとされてなる平面板部２ｅと、上記背面板部２ｄと対向してなりこのボックス本体２の正面に形成されてなる正面板部２ｆ（図４参照）とを備えている。すなわち、このボックス本体２には、前端から全体の約半分までの部位までに、金銭その他の貴重品等を出し入れする開口（符号は省略する。）が形成され、この半分から後端までは上記平面板部２ｅにより閉塞されている。また、上記左右の側板部２ｂ，２ｃの上端側中途部には、該左右の側板部２ｂ，２ｃの前端から後端に亘って、（左の側板部２ｂを示す）図２に示すように、ガイドレール２ｇが形成されている。
【００１３】
一方、上記開閉蓋３は、図１から図５及び図８に示すように、上記ボックス本体２に形成された開口を閉塞し又は開放する開閉板部３ａと、この開閉板部３ａの左右両側から垂下してなる左右の側板部３ｂ，３ｃと、この開閉板部３ａの先端側から垂下し下端はＬ字状に折曲されてなる垂下板部３ｄと、を備え、上記開閉板部３ａの先端側上面には、こじ開け防止用の保護板４が固定され、開閉板部３ａの裏面には、後述のように、こじ開け防止用のロックプレート６が取り付けられている。上記開閉板部３ａは、少なくとも上記ボックス本体２に形成された開口の面積よりも広い面積を有する長方形状の板体である。また、この開閉板部３ａの左右両側に設けられた側板部３ｂ，３ｃの高さは、上記ガイドレール２ｇを閉塞する長さとされている。そして、これら左右の側板部３ｂ，３ｃの内側であって上端側には、それぞれガイドレール２ｇ側に突出した４つの軸部３ｅ，３ｆ，３ｇ，３ｈが形成され、これらの軸部３ｅ，３ｆ，３ｇ，３ｈには、上記ガイドレール２ｇにガイドされながら転動する車輪５ａ，５ｂ，５ｃ，５ｄがそれぞれ設けられている（図８参照）。すなわち、この開閉蓋３は、４つの車輪５ａ，５ｂ，５ｃ，５ｄを介して、ボックス本体２にスライド可能に配設されている。また、先述のように、上記開閉蓋３の開閉板部３ａの先端には、図５に示すように、ボックス本体２内に挿入され下端はＬ字状に折曲されてなる垂下板部３ｄが形成され、この垂下板部３ｄの正面には、後述するロック片９に形成された一方の係合部９ａが挿入係合する係合孔３ｉが穿設されている。
【００１４】
また、この垂下板部３ｄの下端に形成された折曲板部３ｊには、後述するロックプレート６が固定されるロックプレート固定部３ｋが設けられている。すなわち、上記開閉蓋３の先端には、上記垂下板部３ｄと、この垂下板部３ｄの下端からＬ字状に折曲されてなる折曲板部３ｊとが形成され、上記垂下板部３ｄには、上記係合孔３ｉが穿設され、折曲板部３ｊには、ロックプレート固定部３ｋが形成されている。したがって、上記垂下板部３ｄに外力が加えられた場合には、上記折曲板部３ｊにもその外力が及ぶ構造とされている。また、上記開閉板部３ａの後端には、図８のＩＸ−ＩＸ線断面図である図９に示すように、少なくともロックプレート６の板幅よりも広い幅で、ロックプレート６の厚みより僅かに長い長さだけ垂下してなるロックプレート係止部３ｌが設けられている。また、このロックプレート係止部３ｌには、後述するロックプレート６のロックプレート係止片６ｄが係止されることが可能な大きさとされたロックプレート係止孔３ｍが設けられている。
【００１５】
そして、上記開閉蓋３の裏面には、本発明を構成するロックプレート６が取り付けられている。このロックプレート６は、図６及び図７に示すように、金属板が折曲されてなるものであって、平面板部６ａと、この平面板部６ａの一端側（開閉蓋３の閉塞方向）からほぼ垂直方向に折曲されてなる折曲部６ｂと、この折曲部６ｂの下端からＬ字状に折曲されてなり上記平面板部６ａと面対向してなる固定片６ｃが形成されている。また、この平面板部６ａの他端（開閉蓋３の開放方向）には、上記開閉蓋３のロックプレート係止孔３ｍに係止する係止片６ｄが形成され、この他端側中途部には、この平面板部６ａから折曲部６ｂと同じ向きに、少なくとも上記ボックス本体２の平面板部２ｅの厚みより長い長さだけ、ほぼ垂直方向に折曲して起立する対向板部６ｅと、この対向板部６ｅの先端から該平面板部６ａの他端方向に折曲されてなる水平板部６ｆが形成されている。なお、上記対向板部６ｅは、本発明を構成する対向部である。また、上記水平板部６ｆの先端の形成位置は、図９に示すように、ボックス本体２を構成する平面板部２ｅの正面より僅かにボックス本体２の正面側とされている。
【００１６】
すなわち、このロックプレート６は、上記固定片６ｃが上記開閉蓋３に形成されたロックプレート固定部３ｋに係合することにより固定され、また、上記係止片６ｄが上記開閉蓋３に形成されたロックプレート係止孔３ｍに係止されることにより、図８及び図９に示すように開閉蓋３に取り付けられている。したがって、上記ロックプレート固定部３ｋに固定片６ｃを介して固定されたロックプレート６は、該ロックプレート固定部３ｋに外力が加えられて基端側が移動された場合（折曲され変形された場合）には、その外力の作用する方向に移動するものとされている。この結果、それまでロックプレート係止孔３ｍに係止されていた係止片６ｄは、その係止状態が解除され、ロックプレート６の先端が下方に脱落する。
【００１７】
また、上記こじ開け防止用の保護板４は、図１に示すように上記開閉蓋３の幅と同じ幅に成形され、該開閉蓋３を構成する開閉板部３ａの先端側中途部に固定されてなる固定板部４ａと、この固定板部４ａの先端から折曲され起立してなる起立板部４ｂと、この起立板部４ｂの上端からほぼＬ字状に折曲され先端は、上記開閉板部３ａの先端よりもやや先端側に突出してなる水平板部４ｃとから構成されている。
【００１８】
そして、上記ボックス本体２の正面側には、図１に示すように、カード式錠８が内蔵されてなるカード式錠収納部７が固定されている。このカード式錠収納部７は、板金を折曲することにより略箱状に成形されてなるものであり、図１０に示すように、正面板部７ａと、この正面板部７ａの左右両端からＬ字状に折曲されてなる左右の側板部７ｂ，７ｃと、上記正面板部７ａの上端からＬ字状に折曲されてなる平面板部７ｄと、上記左右の側板７ｂ，７ｃの下端から内側にＬ字状に折曲されてなる底板部７ｅとから概略構成されている。そして、このカード式錠収納部７内には、カード式錠８が固定されている。このカード式錠８は、内部に多数のタンブラピンが移動可能に配設されている。また、このセーフティボックス１の開閉に用いる設定カード１１，カードキー１２は共に、図２０に示す従来のセ−フティボックス１０１の開閉に用いる設定カード１２１，カードキー１２２と同じものである。このセーフティボックス１は、上記カード式錠８には、上記カードキー１２の操作により回動するロック片９が設けられている。このロック片９には、前記垂下板部３ｄに形成された係合孔３ｉに挿入係合する一方の係合部９ａが形成されている。
【００１９】
なお、このセーフティボックス１を使用する場合には、カード式錠収納部７の側面に設けられた設定カード挿通孔７ｆを通して、カード式錠８の側面に設けられた設定カード挿通孔８ａに設定カード１１を挿入することにより、カード式錠８に内蔵された図示しないタンブラピンの解除位置を設定する。続いて、カード式錠８の上部のキー挿通孔に、カード式錠収納部７の上面に設けられたカードキー挿通部７ｇを通してカードキー１２を挿入する。この場合、該カードキー１２が該設定カード１１に対応したものである場合には、カード式錠８がカード式錠収納部７内で下方に移動する。このカード式錠８にはＬ字状の連結板１３が係合し、カード式錠８の下方への移動に伴ってＬ字状の連結板１３が移動し、このＬ字状の連結板１３の移動に伴って支軸９ｃに支持されたロック片９が回動し、上記一方の係合部９ａと開閉蓋３の係合孔３ｉとの係合が解かれ開錠される。また、先述の従来のセ−フティボックス１０１と同様に、カード式錠収納部７の側面には、蝶番１４ａを介して開閉扉１４が設けられ、この開閉扉１４の開放によりカード式錠８の設定カード挿通孔８ａが露出する構成とされている。そして、このカード式錠収納部７内であって、カード式錠８の側方には、設定カード１１の取り出し方向と直交する方向に水平ロッド１５が設けられている。この水平ロッド１５は、上記開閉扉１４の閉塞により、開閉蓋３に設けられた車輪５ｂと当接し、該水平ロッド１５の先端側に設けられている筒状部１５ａ内に先端側が挿入されるように構成されている。また、上記水平ロッド１５の下方には、上記開閉扉１４の閉塞状態をロックするためのロックピン１６が設けられている一方、上記開閉扉１４の裏面には、このロックピン１６の先端側が挿通される挿通部１４ｂが形成されている。なお、上記水平ロッド１５は、図２に示すように、筒状に成形されたロッド支持部１５ｂ内に挿通されており、このロッド支持部１５ｂ内には、図２に示すように、該水平ロッド１５を常時開閉蓋１４の開放方向に付勢する第１のコイルスプリング１５ｃが配設されている。また、上記ロックピン１６は、筒状に成形されたピン支持部１６ａ内に挿通されており、このピン支持部１６ａ内には、該ロックピン１６を常時開閉蓋１４の閉塞方向に付勢する第２のコイルスプリング１６ｂが配設されている。
【００２０】
また、上記カード式錠収納部７内であって、上記カード式錠８の側方には、図９に示すマスターキー１７により回動するとともに、先端は上記ロック片９に形成された他方の係合片９ｂに係合する回動片１７ａが配設されている。また、上記カード式錠収納部７には、このカード式錠収納部７を上記ボックス本体２を構成する正面板部２ｆに連結される４つの連結板部７ｈ・・・７ｋが固定され、各連結板部７ｈ・・・７ｋには、図示しないネジが挿通されるネジ孔（符号は省略する。）が穿設されている。
【００２１】
なお、このカード式錠収納部７を構成する正面板７ａの高さは、図１及び図４に示すように、ボックス本体２の底板部２ａから開閉蓋３の開閉板部３ａの上面までの高さよりもやや高く、また該カード式錠収納部７の平面板部７ｄの後端は、上記ボックス本体２の先端位置よりも後端側に位置しており、開閉蓋３によりボックス本体２に形成された開口を完全に閉塞し、該カード式錠収納部７の平面板部７ｄの後端は、上記開閉蓋３を構成する開閉板部３ａの先端側上面と保護板４を構成する水平板部４ｃとの間に位置することとなる。また、上記カード式錠収納部７を構成する正面板７ａの幅も、図１に示すように、上記開閉蓋３の幅よりもやや長いものとされており、上記ロック片９に形成された一方の係合部９ａと係合孔３ｉとを係合させて施錠すると、開閉蓋３によりボックス本体２に形成された開口が完全に閉塞されることとなる。
【００２２】
以下、上述した本実施の形態に係るセーフティボックス１の使用方法について簡単に説明する。先ず、ボックス本体２内に金銭等の貴重品を収納し、その上で設定カード１１とカードキー１２とを切離し、該設定カード１１を上記設定カード挿通部７ｆからカード式錠８に形成された設定カード挿通孔８ａ内に挿入させる。これにより、先述のように、カード式錠８に内蔵された図示しないタンブラピンの解除位置が設定される。そして、この状態で、上記開閉蓋３をスライドさせ、ボックス本体２に形成された開口を完全に閉塞し、上記ロック片９に形成された一方の係合部９ａと係合孔３ｉとを係合させる。これにより、施錠が完了する。このとき、前述のとおり、上記カード式錠収納部７の平面板部７ｄの後端は、上記開閉蓋３を構成する開閉板部３ａの先端側上面と保護板４を構成する水平板部４ｃとの間に位置することとなる。すなわち、上記保護板４を構成する水平板部４ｃの先端は、カード式収納部７を構成する平面板部７ｄの上方に位置するとともに、開閉蓋３を構成する開閉板部３ａの先端は、該平面板部７ｄの下方に位置することとなるので、バール等で該開閉蓋３をこじ開けることは難しいものとなる。また、このように施錠がされることにより、前述したように、ロックピン１６が開閉扉１４の裏面に形成された挿通部１４ｂに挿通することから、前記設定カード挿通孔８ａが完全に閉塞されることから、設定カード１１を取り出すことも不可能となり、また、万一この開閉扉１４が開放された場合であっても、上記水平ロッド１５が存在することにより設定カードを抜き取ることは出来ない。
【００２３】
また、上記セーフティボックス１を解錠し、ボックス本体２内に収納された貴重品を取り出す場合には、カードキー１２を、上記カードキー挿入部７ｇに挿入することにより、カード式錠８の上面に設けられた図示しないキー挿入孔内に挿入すると、上記ロック片９に形成された一方の係合部９ａと係合孔３ｉとの係合が解除される。また、もしも上記カードキー１２を紛失した場合には、管理者等が保管する管理キーを用い、マスターキー１７を作動させ、上記回動片１７ａを回動させ、ロック片９を回動させれば良い。
【００２４】
そして、このセーフティボックス１が施錠されている状態において、開閉蓋３とカード式錠収納部７の平面板部７ｄとの隙間からバール等をねじ込み、これによって該開閉蓋３を開放しようとすると、一方の係合部９ａに係合した垂下板部３ｄは、開閉板部３ａとの間で鈍角を形成するよう変形し（セーフティーボックス１の正面側に移動させられ）、この垂下板部３ｄの変形（移動）により、ロックプレート６も同じ方向に移動させられる。こうしたロックプレート６の移動により、それまで上記ロックプレート係止孔３ｍに挿入され係止されていた該ロックプレート６の先端は、その係止状態が解除され、図１１に示すように、下方に脱落し、上記平面板部２ｅ上に載置される。そして、この状態において、上記ロック片９に形成された一方の係合部９ａと係合孔３ｉとの係合状態を解除し、開閉蓋３を開放方向に移動させようとすると、上記ロックプレート６に形成された対向板部６ｅは、図１２に示すように、上記平面板部２ｅの先端面に当接し開放することができない。この結果、ボックス本体２の中に入れられた金銭，貴重品等を取り出すことはできないこととなる。
【００２５】
なお、上記実施の形態に係るセーフティーボックス１では、ロックプレート６の先端側に形成された対向部としての対向板部６ｅと、ボックス本体２を構成する平面板部２ｅの先端面とが当接することにより、開閉蓋３の開放を規制する構成を採用したが、本発明は、必ずしも上述した構成とする必要はなく、図１３及び図１４に示すように、ロックプレート２０の底面の一端側（開閉蓋３の開放方向）に、突部２０ａを設ける一方、ボックス本体２を構成する平面板部２ｅには、この突部２０ａが挿通される貫通孔２ｉが形成されてなるものであっても良い。こうした構成による場合であっても、前述した方法で開閉蓋３を開放しようとすると、上記ロックプレート２０の先端側は、下方に脱落するとともに、上記突部２０ａが貫通孔２ｉ内に挿通され、開閉蓋３を開放方向に移動することができないこととなる。
【００２６】
【発明の効果】
上述した本発明の一実施の形態に係るセーフティボックスの説明からも明らかなように、本発明（請求項１記載の発明）では、上記ロックプレートの先端側には、上記係合片に上記係合部が係合している状態において、該係合片に外力が加わることによりボックス本体の正面側に該係合片が移動させられ、上記開閉蓋のロックプレート係止部とロックプレートとの係止状態が解除されてロックプレートが脱落することにより、上記平面板部の正面側端部と対向する対向部が形成されてなることから、この対向部と平面板部の正面側端部との当接により、開閉蓋の開放は規制される。したがって、バール等により鍵部に形成された係合部と、開閉蓋に形成された係合片との係合状態が解除された場合であっても、依然として内部に収容された貴重品等を守ることが可能となる。
【００２７】
また、第２の発明（請求項２記載の発明）による場合には、脱落したロックプレートに形成された突部と、平面板部に形成された貫通孔との係合により、開閉蓋の開放が規制される。したがって、この第２の発明による場合であっても、上記第１の発明と同じ効果を実現することができる。
【図面の簡単な説明】
【図１】本発明の実施の形態に係るセーフティボックスを示す平面図である。
【図２】図１に示すセーフティボックスの左側面図である。
【図３】図２に示すセーフティボックスであって、開閉蓋を閉塞した状態を示す左側面図である。
【図４】図１のＩＶ−ＩＶ線断面図である。
【図５】開閉蓋を示す正面図である。
【図６】ロックプレートを示す平面図である。
【図７】ロックプレートを示す側面図である。
【図８】ロックプレートを取り付けられた開閉蓋の裏面を示す図である。
【図９】開閉蓋を閉塞した状態でのロックプレートとボックス本体の平面板部の位置関係を示す図８のＩＸ−ＩＸ線断面図である。
【図１０】カード式錠収納部を示す背面図である。
【図１１】開閉蓋の垂下板部に外力が加えられることで変形し、ロックプレートが移動させられ係止状態を解かれ、平面板部上に戴置された状態を示す断面図である。
【図１２】ロックプレートの対向板部が、ボックス本体の平面板部の先端面に当接した状態を示す断面図である。
【図１３】他のロックプレートを示す平面図である。
【図１４】他のロックプレートを示す側面図である。
【図１５】従来のセーフティボックスを示す斜視図である。
【図１６】従来のセーフティボックスを示す右側面図である。
【図１７】設定カードとカードキーとが連結された状態を示す平面図である。
【符号の説明】
１  セーフティボックス
２  ボックス本体
３  開閉蓋
４  保護板
６  ロックプレート
６ｅ  対向板部
７  カード式錠収納部
８  カード式錠
９  ロック片
１１  設定カード
１２  カードキー
２０  他のロックプレート
２０ｅ  突起
【図１】
0003727844.tif 000002
【図２】
0003727844.tif 000003
【図３】
0003727844.tif 000004
【図４】
0003727844.tif 000005
【図５】
0003727844.tif 000006
【図６】
0003727844.tif 000007
【図７】
0003727844.tif 000008
【図８】
0003727844.tif 000009
【図９】
0003727844.tif 000010
【図１０】
0003727844.tif 000011
【図１１】
0003727844.tif 000012
【図１２】
0003727844.tif 000013
【図１３】
0003727844.tif 000014
【図１４】
0003727844.tif 000015
【図１５】
0003727844.tif 000016
【図１６】
0003727844.tif 000017
【図１７】
0003727844.tif 000018